(57)【要約】【課題】外部からの衝撃に強く、耐電圧特性に優れた陰極線管を提供する。【解決手段】複数の電極が少なくとも２つの絶縁支持体４０により支持された電子銃７がファンネルのネック部５内に配置されている。ネック部５の端部には円形ガラス２００が溶着され、複数のステムピン３１が円形ガラス２００を貫通してこれに保持されている。電子銃７は、一部が絶縁支持体４０に埋め込まれ、他の一部がステムピン３１に接続された金属部材２４ａ，２４ｂ，２４ｃを介してステム部１０に支持されている。金属部材には少なくとも１つの開孔５１ａ，５１ｂが形成されている。【選択図】図１
2007165254.tif 000002
【特許請求の範囲】
【請求項１】
パネル及びファンネルを有する外囲器と、
少なくとも１つのカソード、前記カソードから電子ビームを放出させ且つ前記電子ビームを加速し集束する第１グリッド及び第２グリッドを含む複数の電極、及び前記複数の電極を支持し固定する少なくとも２つの絶縁支持体を有し、前記ファンネルのネック部内に配された電子銃と、
前記ネック部の端部に溶着された円形ガラス、及び前記円形ガラスを貫通して前記円形ガラスに保持された複数のステムピンを有するステム部と
を備えた陰極線管であって、
一部が前記絶縁支持体に埋め込まれ、且つ、前記第１グリッドと絶縁された金属部材を更に備え、
前記金属部材の他の一部は前記ステムピンに接続されており、
前記電子銃は、前記金属部材を介して前記ステム部に支持されており、
前記金属部材には少なくとも１つの開孔が形成されていることを特徴とする陰極線管。
【請求項２】
前記カソードと隣り合う前記第１グリッドはバスタブ形状を有し、前記第１グリッド内に前記カソードを含むカソードヒータユニットが溶接され固定されており、
前記金属部材の前記開孔を介して前記カソードヒータユニットと前記第１グリッドとが溶接されることを特徴とする請求項１に記載の陰極線管。
【請求項３】
前記金属部材は、前記ステムピンに接続された部分と、前記開孔との間に、段差を形成するための曲げ部を有する請求項１に記載の陰極線管。
【請求項４】
パネル及びファンネルを有する外囲器と、
少なくとも１つのカソード、前記カソードから電子ビームを放出させ且つ前記電子ビームを加速し集束する第１グリッド及び第２グリッドを含む複数の電極、及び前記複数の電極を支持し固定する少なくとも２つの絶縁支持体を有し、前記ファンネルのネック部内に配された電子銃と、
前記ネック部の端部に溶着された円形ガラス、及び前記円形ガラスを貫通して前記円形ガラスに保持された複数のステムピンを有するステム部と
を備えた陰極線管であって、
一部が前記絶縁支持体に埋め込まれ、且つ、前記第１グリッドと絶縁された金属部材を更に備え、
前記金属部材の他の一部は前記ステムピンと直接的に又は他の部材を介して間接的に接続されており、
前記電子銃は、前記金属部材を介して前記ステム部に支持されており、
前記カソードと隣り合う前記第１グリッドはバスタブ形状を有し、
管軸方向において、前記絶縁支持体の前記ステム部側端の位置は、前記第１グリッドの前記バスタブ形状の筒部の位置と重複していることを特徴とする陰極線管。
【請求項５】
一端に供給された陽極電位を抵抗分割することにより得た電位を前記電子銃を構成する所定の電極に供給するための抵抗器を前記絶縁支持体の近傍に更に備え、
前記抵抗器の他端は前記金属部材を介して前記ステムピンに接続されている請求項１又は４に記載の陰極線管。
【発明の詳細な説明】
【技術分野】
【０００１】
本発明は陰極線管に関し、特に電子銃構造に特徴を有する陰極線管に関する。
【背景技術】
【０００２】
一般に、陰極線管は、図６に示すように、パネル１とこのパネル１に一体に接合されたファンネル２とからなるガラス製の外囲器を有する。パネル１の内面には、青、緑、赤に発光するストライプ状あるいはドット状の３色蛍光体層からなる蛍光体スクリーン３（ターゲット）が形成されている。この蛍光体スクリーン３に対向して、多数のアパーチャが形成されたシャドウマスク４がパネル１の内側に装着されている。ファンネル２のネック部５内には、３電子ビーム６Ｂ，６Ｇ，６Ｒを放出する電子銃７が配設されている。この電子銃７から放出される３電子ビーム６Ｂ，６Ｇ，６Ｒをファンネル２の外側に装着された偏向ヨーク８が発生する水平及び垂直偏向磁界により偏向し、シャドウマスク４を介して蛍光体スクリーン３を水平及び垂直方向に走査することにより、カラー画像が表示される。
【０００３】
ネック部５の端部には、外囲器を気密に封止するための円形ガラス２００を有するステム部１０が形成されている。電子銃７を構成する各電極と管外との電気的導通をとるための複数のステムピン３１が円形ガラス２００を貫通して円形ガラス２００に保持されている。図６においてＺ軸は管軸を示す。
【０００４】
図７（Ａ）は、従来の陰極線管におけるステム部近傍の概略構成を示した断面図、図７（Ｂ）は、この陰極線管における電子銃をステム部側から見た背面図である（例えば特許文献１参照）。電子銃７は、電子ビームの進行方向に沿って、順に、第１グリッド１１、第２グリッド１２、及び第３グリッド１３を含む複数の電極を備え、これらは一対のビードガラス４１によって一体に保持されている。
【０００５】
第１グリッド１１の外周面上には、一対のビードガラス４１に埋め込まれた埋め込み部を一端に有するＧ１ブラケット２１ａ，２１ｂが溶接されている。Ｇ１ブラケット２１ａ，２１ｂの他端には、対角位置に配された支柱ピン２２ａ，２２ｂの一端がそれぞれ溶接されている。支柱ピン２２ａ，２２ｂの他端は円形ガラス２００を貫通してこれに保持されたステムピン３１ａ，３１ｂの一端に溶接されている。かくして、第１グリッド１１は、Ｇ１ブラケット２１ａ，２１ｂ、支柱ピン２２ａ，２２ｂ、ステムピン３１ａ，３１ｂを介して管外と電気的導通がとられる。また、電子銃７は、一対のビードガラス４１、Ｇ１ブラケット２１ａ，２１ｂ、支柱ピン２２ａ，２２ｂ、ステムピン３１ａ，３１ｂを介して円形ガラス２００を含むステム部に支持されている。
【０００６】
第２グリッド１２及び第３グリッド１３にも、第１グリッド１１と同様に、一対のビードガラス４１に埋め込まれた埋め込み部を一端に有する一対のブラケットがそれぞれ溶接され、一対のブラケットのうちの一方の他端に１本の支柱ピン（図示せず）及び１本のステムピン３１が順に溶接されている。これにより、第２グリッド１２及び第３グリッド１３も管外と電気的導通がとられる。また、電子銃７は、これらの支柱ピン及びステムピンを介して円形ガラス２００を含むステム部に支持されている。
【０００７】
以上のように、電子銃７は、第１グリッド１１に電気的に接続された２本の支柱ピン２２ａ，２２ｂ、第２グリッド１２に電気的に接続された１本の支柱ピン、及び、第３グリッド１３に電気的に接続された１本の支柱ピンの合計４本の支柱ピンで支持される。このように電子銃７が４本もの支柱ピンで支持されているのは、個々の支柱ピンの支持強度が弱いためである。
【０００８】
しかしながら、このような支持方法では、第１グリッド１１に接続された２本の支柱ピン２２ａ，２２ｂがそれぞれステムピン３１ａ，３１ｂに接続されている。即ち、円形ガラス２００の限られた領域内に設けられた限られた数のステムピン３１のうちの２本もが第１グリッド１１に電気的に接続されている。単に第１グリッド１１に電位を供給するためだけであれば、第１グリッド１１に対して１本のステムピンが接続されていれば足りる。本来、電極に所定の電圧を供給するという目的のために設けられているステムピン３１のうちの１本が、電子銃７を支持するというこれとは別の目的のためだけに使用されている。この結果、第１グリッド１１に接続された２本のステムピン３１ａ，３１ｂのうちの一方を別の電極に接続して異なる電位を供給することにより電子銃の機能を更に高めるということが不可能である。
【０００９】
また、図７（Ａ）及び図７（Ｂ）の電子銃７は、ステム部のステムピン３１を固定端として、支柱ピン、第１〜第３グリッド１１，１２，１３に溶接されたブラケット、及び一対のビードガラス４１を順に介して支持されている。電子銃の製造工程や陰極線管の製造工程、特に、電子銃を外囲器のネック部５内に挿入してネック部５の開口を封止する工程、または、その後の陰極線管を輸送する工程等において、陰極線管又は電子銃に衝撃が加えられると、その衝撃は、固定端であるステムピン３１と一対のビードガラス４１との間に位置する第１〜第３グリッド１１，１２，１３に溶接された各ブラケットに伝達される。この結果、第１〜第３グリッド１１，１２，１３の変形や、これらグリッド間のギャップの変化を生じさせ、陰極線管の画像特性が低下するという問題を引き起こしてしまう。
【００１０】
この問題を解決した、別の電子銃の支持形態を図８（Ａ）及び図８（Ｂ）を用いて説明する。この電子銃では、一対のビードガラス４１が、管軸Ｚ方向において第１グリッド１１よりも円形ガラス２００側に伸ばされている。そして、一対のビードガラス４１の円形ガラス２００側端近傍に電子銃支持固定用の金属片（「ラグ」とも呼ばれる）２３ａ，２３ｂ，２３ｃの一端が埋め込まれている。金属片２３ａ，２３ｂ，２３ｃの他端は円形ガラス２００を貫通してこれに保持されたステムピン３１ａ，３１ｂ，３１ｃの一端に溶接されている（ステムピン３１ｃは図示せず）。以上のように、電子銃７は、一対のビードガラス４１に固定された３つの金属片２３ａ，２３ｂ，２３ｃ及び３本のステムピン３１ａ，３１ｂ，３１ｃにより支持されている。
【００１１】
この支持方法によれば、電子銃の製造工程や陰極線管の製造工程において、陰極線管又は電子銃に衝撃が加えられると、その衝撃は、固定端であるステムピン３１ａ，３１ｂ，３１ｃと一対のビードガラス４１との間に位置する金属片２３ａ，２３ｂ，２３ｃに伝達され、第１〜第３グリッド１１，１２，１３等の電極へは伝達されないので、電極の変形や電極間ギャップの変化が生じるのを防止できる。
【００１２】
また、１つの電極に１本のステムピン３１が接続されるので、各ステムピン３１に個別の電圧を与えることが可能であり、様々な形態の電子銃に適用することで、その機能を拡充することができる。
【００１３】
しかしながら、この電子銃は次のような問題を有している
電子銃７の組み立てにおいて、第１グリッド１１と、カソード及びヒータが一体となったカソードヒータユニット（図示せず）とを溶接する工程がある。図８（Ａ）及び図８（Ｂ）の電子銃７では、一対のビードガラス４１が、管軸Ｚ方向において円形ガラス２００付近にまで伸ばされているために、抵抗溶接を行うための電極ピン又はレーザ溶接を行うためのレーザ光を通過させるための開孔４２、及び電極ピン又はレーザ光との干渉を避けるためのくびれ部４３を一対のビードガラス４１に設ける必要がある。この結果、ビードガラス４１の強度が、開孔４２及びくびれ部４３が設けられた部分近傍で低下し、ビードガラス４１にクラックなどが発生しやすくなるという問題がある。
【００１４】
また、開孔４２及びくびれ部４３が設けられたビードガラス４１は、形状が複雑であるために、図７（Ａ）及び図７（Ｂ）の電子銃７で用いられている一般的な平板状のビードガラス４１に比べて高価であるという問題もある。
【００１５】
電子銃７の組み立てにおいて、電子銃７を構成する複数の電極の一部を加熱され融解されたビードガラスに埋め込み溶着する工程がある。この工程においてビードガラス４１の開孔４２及びくびれ部４３の周辺部分も融解してしまい、最終的に得られる開孔４２及びくびれ部４３の位置や形状などにバラツキが生じてしまうという問題がある。この結果、例えば、開孔４２の開口寸法が小さくなりすぎて抵抗溶接を行うための電極ピンを通すことができなくなったり、開孔４２の位置がずれて溶接箇所に電極ピンを届かせることができなくなったりして、溶接を行うことができないという問題が発生する。
【００１６】
更に、陰極線管の動作時には以下のような問題が生じる。
【００１７】
図８（Ａ）及び図８（Ｂ）の電子銃７では、一対のビードガラス４１が、管軸Ｚ方向において円形ガラス２００付近にまで伸ばされており、一対のビードガラス４１の円形ガラス２００側端近傍に金属片２３ａ，２３ｂ，２３ｃの一端が埋め込まれている。ステムピン３１及びブラケットを介して各電極に供給される電圧は、例えばカソードであれば１７０Ｖ〜１９０Ｖであり、第２グリッド１２であれば５００Ｖ〜８００Ｖである。このような高電圧がカソードヒータユニットの近傍でビードガラス４１にその一部が埋め込まれたブラケットに印加されていると、ビードガラス４１のブラケットの埋め込み部近傍部分の電位が誘起されて上昇する。その結果、ヒータから発生した浮遊熱電子がブラケット及びビードガラス４１のブラケットの埋め込み部近傍部分に引き寄せられる。浮遊熱電子は、その移動過程において、ヒータから比較的近い位置にあるビードガラス４１の開孔４２及びくびれ部４３の近傍部分に衝突して二次電子放出が生じ、ビードガラス４１のこの部分の電位が上昇する。この電位上昇が更にヒータからの浮遊熱電子を引き寄せ、更に二次電子放出が生じ、電位が一層上昇する。このようにして、ビードガラス４１の開孔４２及びくびれ部４３の近傍部分の電位が不安定になる。
【００１８】
また、ヒータからの浮遊熱電子の一部は、ヒータの近傍に設けられた開孔４１を通過してネック部５に達し、ネック部５の電位も不安定になる。
【００１９】
このようにステム部近傍の電位が上昇し不安定になることによって、ネック部５内の電子銃７近傍に大量の散乱電子が発生し、電子銃７の耐電圧特性が劣化するといった問題も発生する。
【特許文献１】特開平９−７３８６６号公報
【発明の開示】
【発明が解決しようとする課題】
【００２０】
本発明は以上の問題を解決するものであり、外部からの衝撃に強く、耐電圧特性に優れた陰極線管を提供することを目的とする。
【課題を解決するための手段】
【００２１】
本発明の陰極線管は、パネル及びファンネルを有する外囲器と、少なくとも１つのカソード、前記カソードから電子ビームを放出させ且つ前記電子ビームを加速し集束する第１グリッド及び第２グリッドを含む複数の電極、及び前記複数の電極を支持し固定する少なくとも２つの絶縁支持体を有し、前記ファンネルのネック部内に配された電子銃と、前記ネック部の端部に溶着された円形ガラス、及び前記円形ガラスを貫通して前記円形ガラスに保持された複数のステムピンを有するステム部とを備える。
【００２２】
本発明の第１の陰極線管は、一部が前記絶縁支持体に埋め込まれ、且つ、前記第１グリッドと絶縁された金属部材を更に備える。前記金属部材の他の一部は前記ステムピンに接続されており、前記電子銃は、前記金属部材を介して前記ステム部に支持されている。そして、前記金属部材には少なくとも１つの開孔が形成されている。
【００２３】
本発明の第２の陰極線管は、一部が前記絶縁支持体に埋め込まれ、且つ、前記第１グリッドと絶縁された金属部材を更に備える。前記金属部材の他の一部は前記ステムピンと直接的に又は他の部材を介して間接的に接続されており、前記電子銃は、前記金属部材を介して前記ステム部に支持されている。前記カソードと隣り合う前記第１グリッドはバスタブ形状を有し、管軸方向において、前記絶縁支持体の前記ステム部側端の位置は、前記第１グリッドの前記バスタブ形状の筒部の位置と重複する。
【発明の効果】
【００２４】
本発明によれば以下のような効果が得られる。
【００２５】
電子銃とこれを支持するステムピンとの間には電極に溶接されたブラケットではなく、金属部材が介在しているので、陰極線管や電子銃に衝撃が加えられても、この衝撃は電極に溶接されたブラケットに直接伝達されない。従って、電極の変形や電極間のギャップの変化が生じない。
【００２６】
電子銃とこれを支持するステムピンとの間には電極に溶接されたブラケットは介在していないので、各電極には１本のステムピンが接続される。従って、各電極に電気的に接続された各ステムピンに個別の電位を供給することができるので、本発明の電子銃支持構造を種々の電子銃に適用でき、これにより電子銃の機能を高めることができる。
【００２７】
一対のビードガラスは、管軸方向において第１グリッドを越えてステム部側にまで伸ばされていないので、ヒータからの浮遊熱電子がビードガラスに衝突する可能性が低減される。従って、ビードガラスの電位が不安定になるという問題は生じない。
【００２８】
ヒータからの浮遊熱電子は金属部材又は第１グリッドにトラップされるので、余分な浮遊熱電子がネック部に到達するのが軽減される。この結果、電子銃の近傍での散乱電子を低減することができ、耐電圧特性に優れた陰極線管を実現できる。
【００２９】
一対のビードガラスは開孔やくびれ部が形成されていない単純な形状とすることができるので、安価に製作でき、また、電子銃の製造工程でのビードガラスの融解による形状や寸法変化によって不具合が生じる可能性は低い。
【発明を実施するための最良の形態】
【００３０】
本発明の陰極線管は、ステム部１０近傍での電子銃７の支持構造を除いて特に制限はなく、例えば図６に示した従来の陰極線管と同様の構成を有していても良い。従って、重複する説明を省略し、本発明に特有の構成を以下に説明する。
【００３１】
（実施の形態１）
図１（Ａ）は、本発明の実施の形態１に係る陰極線管におけるステム部近傍の概略構成を示した断面図、図１（Ｂ）は、この陰極線管における電子銃をステム部側から見た背面図である。図７（Ａ）、図７（Ｂ）、図８（Ａ）、図８（Ｂ）と同一の部材には同一の符号を付してそれらについての説明を省略する。
【００３２】
本実施の形態１の電子銃７は、円形ガラス２００側から順に、バスタブ形状の電極である第１グリッド１１、板状の電極である第２グリッド１２、カップ形状の電極である第３グリッド１３を含む複数の電極を備え、これら複数の電極は一対のビードガラス（絶縁支持体）４１により一体に保持されている。第１グリッド１１内には少なくとも１つのカソードを含むカソードヒータユニットが配置されている（図示せず）。第１グリッド１１及び第２グリッド１２は、カソードから電子ビームを放出させ且つ電子ビームを加速し集束する。
【００３３】
一対のビードガラス４１の円形ガラス２００側端近傍に電子銃支持固定用の金属部材２４ａ，２４ｂ，２４ｃの一端が埋め込まれている。金属部材２４ａ，２４ｂ，２４ｃの他端は円形ガラス２００を貫通してこれに保持されたステムピン３１ａ，３１ｂ，３１ｃの一端に溶接されている（ステムピン３１ｃは図示せず）。以上のように、電子銃７は、一対のビードガラス４１に固定された３つの金属部材２４ａ，２４ｂ，２４ｃ及び３本のステムピン３１ａ，３１ｂ，３１ｃによりネック部５内に支持されている。第１グリッド１１及びこれに溶接されたＧ１ブラケット２１ａ，２１ｂと、金属部材２４ａ，２４ｂ，２４ｃとは、絶縁されている。
【００３４】
管軸Ｚ方向において、一対のビードガラス４１の円形ガラス２００側端の位置は、第１グリッド１１のバスタブ形状の筒部（管軸Ｚとほぼ平行な側壁部分）の位置と重複し、一対のビードガラス４１は第１グリッド１１よりも円形ガラス２００側にはみ出していない。一対のビードガラス４１とステムピン３１ａ，３１ｂ，３１ｃとの間を金属部材２４ａ，２４ｂ，２４ｃが繋いでいる。
【００３５】
図２は第１金属部材２４ａの正面図である。第１金属部材２４ａの一端側の埋め込み部６１ａ，６１ｂはビードガラス４１に埋め込まれ、他端側の接続部６２ａはステムピン３１ａに溶接される。そして、埋め込み部６１ａ，６１ｂと接続部６２ａとの間の領域には開孔５１ａ及びくびれ部５２ａが形成されている。
【００３６】
図３は第２金属部材２４ｂの正面図である。第２金属部材２４ｂの一端側の埋め込み部６１ｃはビードガラス４１に埋め込まれ、他端側の接続部６２ｂはステムピン３１ｂに溶接される。そして、埋め込み部６１ｃと接続部６２ｂとの間の領域には開孔５１ｂが形成されている。
【００３７】
第１金属部材２４ａのくびれ部５２ａ及び開孔５１ａ、第２金属部材２４ｂの開孔５１ｂは、第１グリッド１１の溶接箇所１００ａ，１００ｂ，１００ｃに、カソード及びヒータが一体となったカソードヒータユニット（図示せず）を溶接するのを容易にするために設けられている。即ち、抵抗溶接を行うための電極ピン又はレーザ溶接を行うためのレーザ光を、開孔５１ａ，５１ｂ内に通過させて、溶接箇所１００ｂ，１００ｃに到達させることができる。また、くびれ部５２ａが形成されていることにより第１金属部材２４ａの側端が後退しているので、抵抗溶接を行うための電極ピン又はレーザ溶接を行うためのレーザ光を、第１金属部材２４ａと干渉することなく、溶接箇所１００ａに到達させることができる。本実施の形態では、溶接箇所１００ａの溶接を行うために、第１金属部材２４ａにくびれ部５２ａが形成されているが、これに代えて開孔であっても良い。
【００３８】
金属部材２４ａ，２４ｂ，２４ｃは、金属板材をプレス加工等により所定形状に打ち抜き且つ折り曲げることにより容易に作製することができる。金属板材を用いることにより、棒材を用いた場合に比べて大きな支持強度が得られる。
【００３９】
電子銃７の支持点数は、上記実施の形態のように３点に限定されず、４点以上であっても良い。
【００４０】
第１及び第２金属部材２４ａ，２４ｂは、接続部６２ａ，６２ｂと開孔５１ａ，５１ｂとの間に、段差を形成するための曲げ部（図示せず）を有していても良い。例えば、一対のビードガラス４１が対向する方向（図１（Ｂ）の紙面の上下方向）において、ステムピン３１ａ，３１ｂの位置と第１及び第２金属部材２４ａ，２４ｂの接続部６２ａ，６２ｂの位置とは必ずしも一致するとは限らない。このようにステムピン３１ａ，３１ｂの位置に対してビードガラス４１に固定された第１及び第２金属部材２４ａ，２４ｂの接続部６２ａ，６２ｂの位置ががずれた場合には、第１及び第２金属部材２４ａ，２４ｂに曲げ部を形成することにより、ステムピン３１ａ，３１ｂと第１及び第２金属部材２４ａ，２４ｂとを確実に接続することが可能となる。
【００４１】
一対のビードガラス４１のうちの一方の近傍に抵抗器（図示せず）が設けられていても良い。この抵抗器の一端はファンネル２に設けられた陽極端子（図示せず）に接続されて陽極電位が供給される。電子銃７を構成する複数の電極のうちのいずれかには、この抵抗器を用いて陽極電位を抵抗分割することにより得た電位を供給することができる。この場合に、抵抗器の他端を金属部材２４ａ，２４ｂ，２４ｃの１つ又は全てに接続しても良い。これにより、抵抗器の他端の電位を管外にて適切に設定することができるので、電子銃の機能を更に高めることができる。
【００４２】
本実施の形態に係る電子銃７の支持構造によれば、以下のような効果が得られる。
【００４３】
図７（Ａ）及び図７（Ｂ）に示した従来の電子銃は、４本のステムピン３１を固定端として、４本の支柱ピン、第１〜第３グリッド１１，１２，１３に溶接されたブラケット、及び一対のビードガラス４１を順に介して支持されていたので、陰極線管や電子銃７に衝撃が加えられると、この衝撃が第１〜第３グリッド１１，１２，１３に溶接された各ブラケットに伝達される。この結果、第１〜第３グリッド１１，１２，１３の変形や、これらグリッド間のギャップの変化を生じていた。
【００４４】
これに対して、本実施の形態の電子銃７は、３本のステムピン３１ａ，３１ｂ，３１ｃを固定端として、３つの金属部材２４ａ，２４ｂ，２４ｃ、及び一対のビードガラス４１を順に介して支持される。従って、陰極線管や電子銃７に衝撃が加えられても、この衝撃は電子銃７を構成する各電極に溶接されたブラケットに直接伝達されない。従って、電極の変形や電極間のギャップの変化が生じない。
【００４５】
また、図７（Ａ）及び図７（Ｂ）に示した従来の電子銃７では、必要な支持強度を得るために、第１グリッド１１に２本のステムピン３１ａ，３１ｂが接続されていた。
【００４６】
これに対して、本実施の形態では、第１グリッド１１には１本のステムピンが接続される。従って、各電極に電気的に接続された各ステムピンに個別の電位を供給することができるので、本発明の電子銃支持構造を種々の電子銃に適用でき、これにより電子銃の機能を高めることができる。
【００４７】
図８（Ａ）及び図８（Ｂ）に示した従来の電子銃では、一対のビードガラス４１が、管軸Ｚ方向において第１グリッド１１よりも円形ガラス２００側にまで伸ばされていたので、ヒータからの浮遊熱電子がヒータの近傍に位置するビードガラス４１に衝突し二次電子放出が生じ、ビードガラス４１の開孔４２及びくびれ部４３の近傍部分の電位が不安定になるという問題があった。
【００４８】
これに対して、本実施の形態の電子銃７では、一対のビードガラス４１は、管軸Ｚ方向において第１グリッド１１を越えて円形ガラス２００側にまで伸ばされていないので、ヒータからの浮遊熱電子がビードガラス４１に衝突する可能性が低減される。従って、二次電子放出が生じて、ビードガラス４１の電位が不安定になるという問題は生じない。また、ヒータの近傍に位置する金属部材２４ａ，２４ｂ，２４ｃは導電体であるので、ヒータからの浮遊熱電子が衝突しても二次電子放出は生じず、よって、その電位が上昇したり不安定になったりすることはない。
【００４９】
また、図８（Ａ）及び図８（Ｂ）に示した従来の電子銃では、ヒータの近傍に位置するビードガラス４１の開孔４２の近傍部分の電位が二次電子放出により上昇し、この電位に引き寄せられたヒータからの浮遊熱電子がビードガラス４１に設けられた開孔４１を通過してネック部５に達し、ネック部５の電位も不安定になるという問題もあった。
【００５０】
これに対して、本実施の形態では、ビードガラス４１の円形ガラス２００側端からステムピンまでのヒータ近傍の領域には板状の金属部材２４ａ，２４ｂ，２４ｃが配置されて、これら板状の金属部材２４ａ，２４ｂ，２４ｃがヒータを両側から覆っている。従って、ヒータからの浮遊熱電子は導電体である金属部材２４ａ，２４ｂ，２４ｃにトラップされるので、余分な浮遊熱電子がネック部５に到達するのが軽減される。この結果、電子銃７の近傍での散乱電子を低減することができ、耐電圧特性に優れた陰極線管を実現できる。
【００５１】
また、図８（Ａ）及び図８（Ｂ）に示した従来の電子銃では、ビードガラス４１は、開孔４２及びくびれ部４３が形成された複雑な形状を有していたので、高価であり、また、電子銃の製造工程でビードガラス４１を融解させることにより開孔４２及びくびれ部４３の位置や形状が変化してしまうという問題があった。
【００５２】
これに対して、本実施の形態では、一対のビードガラス４１は開孔やくびれ部が形成されていない単純な細幅の板状であるので、安価に製作でき、また、電子銃の製造工程でのビードガラス４１の融解による形状や寸法の変化に対して上記の従来の電子銃ほどに配慮する必要がない。
【００５３】
（実施の形態２）
図４（Ａ）は、本発明の実施の形態２に係る陰極線管におけるステム部近傍の概略構成を示した断面図、図４（Ｂ）は、この陰極線管における電子銃をステム部側から見た背面図である。図７（Ａ）、図７（Ｂ）、図８（Ａ）、図８（Ｂ）と同一の部材には同一の符号を付してそれらについての説明を省略する。
【００５４】
本実施の形態２の電子銃７は、円形ガラス２００側から順に、バスタブ形状の電極である第１グリッド１１、板状の電極である第２グリッド１２、カップ形状の電極である第３グリッド１３を含む複数の電極を備え、これら複数の電極は一対のビードガラス（絶縁支持体）４１により一体に保持されている。第１グリッド１１内には少なくとも１つのカソードを含むカソードヒータユニットが配置されている（図示せず）。第１グリッド１１及び第２グリッド１２は、カソードから電子ビームを放出させ且つ電子ビームを加速し集束する。
【００５５】
一対のビードガラス４１の円形ガラス２００側端近傍に電子銃支持固定用の金属部材２５ａ，２５ｂ，２５ｃの一端が埋め込まれている。金属部材２５ａ，２５ｂ，２５ｃの他端は支柱ピン２２ａ，２２ｂ，２２ｃの一端に接続されている。支柱ピン２２ａ，２２ｂ，２２ｃの他端は円形ガラス２００を貫通してこれに保持されたステムピン３１ａ，３１ｂ，３１ｃの一端に溶接されている（ステムピン３１ｃは図示せず）。以上のように、電子銃７は、一対のビードガラス４１に固定された３つの金属部材２５ａ，２５ｂ，２５ｃ、支柱ピン２２ａ，２２ｂ，２２ｃ、及び３本のステムピン３１ａ，３１ｂ，３１ｃによりネック部５内に支持されている。第１グリッド１１及びこれに溶接されたＧ１ブラケット２１ａ，２１ｂと、金属部材２５ａ，２５ｂ，２５ｃとは、絶縁されている。
【００５６】
管軸Ｚ方向において、一対のビードガラス４１の円形ガラス２００側端の位置は、第１グリッド１１のバスタブ形状の筒部（管軸Ｚとほぼ平行な側壁部分）の位置と重複し、一対のビードガラス４１は第１グリッド１１よりも円形ガラス２００側にはみ出していない。
【００５７】
また、金属部材２５ａ，２５ｂ，２５ｃの管軸Ｚ方向における位置は、第１グリッド１１のバスタブ形状の筒部が管軸Ｚ方向において占める範囲内に位置している。
【００５８】
図５は、金属部材２５ａ，２５ｂ，２５ｃの斜視図である。金属部材２５ａ，２５ｂ，２５ｃは、短冊状の金属板を略「コ」字状に折り曲げた形状を有し、その一端側の埋め込み部６１ｄはビードガラス４１に埋め込まれ、他端側の接続部６２ｄは支柱ピン２２ａ（又は、２２ｂ又は２２ｃ）に溶接される。埋め込み部６１ｄと接続部６２ｄとを繋ぐ渡り部６３ａは、第１グリッド１１のバスタブ形状の筒部を構成する１つの側面に対してほぼ平行に、且つ、離間して配置される。
【００５９】
図４（Ａ）に示されているように、管軸Ｚ方向において、金属部材２５ａ，２５ｂ，２５ｃは、カソード及びヒータが一体となったカソードヒータユニット（図示せず）が溶接された第１グリッド１１の溶接箇所１００ａ，１００ｂ，１００ｃに対して第２グリッド１２側に位置している。即ち、溶接箇所１００ａ，１００ｂ，１００ｃが金属部材２５ａ，２５ｂ，２５ｃによって隠されることはない。従って、実施の形態１で示した金属部材２４ａ，２４ｂのように、溶接箇所１００ａ，１００ｂ，１００ｃへの溶接を容易にするために金属部材２５ａ，２５ｂ，２５ｃに開孔やくびれ部を形成する必要はない。
【００６０】
本実施の形態では、金属部材２５ａ，２５ｂ，２５ｃとステムピン３１ａ，３１ｂ，３１ｃとを支柱ピン２２ａ，２２ｂ，２２ｃを介して間接的に接続したが、本発明はこれに限定されない。例えば、金属部材２５ａ，２５ｂ，２５ｃの接続部６２ｄ側の部分をステムピン３１ａ，３１ｂ，３１ｃにまで延長することにより、又は、ステムピン３１ａ，３１ｂ，３１ｃを金属部材２５ａ，２５ｂ，２５ｃにまで延長することにより、金属部材２５ａ，２５ｂ，２５ｃとステムピン３１ａ，３１ｂ，３１ｃとを直接的に接続しても良い。
【００６１】
金属部材２５ａ，２５ｂ，２５ｃの接続部６２ｄ側の部分をステムピン３１ａ，３１ｂ，３１ｃにまで延長する場合には、金属部材２５ａ，２５ｂ，２５ｃによって溶接箇所１００ａ，１００ｂ，１００ｃが覆われてしまわないことが好ましい。従って、金属部材２５ａ，２５ｂ，２５ｃの接続部６２ｄ側端のみをステムピン３１ａ，３１ｂ，３１ｃにまで延長し、これ以外の埋め込み部６１ｄ及び渡り部６３ａは、管軸Ｚ方向において、溶接箇所１００ａ，１００ｂ，１００ｃに対して第２グリッド１２側に位置していることが好ましい。
【００６２】
また、電子銃７の支持点数は、上記実施の形態のように３点に限定されず、４点以上であっても良い。
【００６３】
一対のビードガラス４１のうちの一方の近傍に抵抗器（図示せず）が設けられていても良い。この抵抗器の一端はファンネル２に設けられた陽極端子（図示せず）に接続されて陽極電位が供給される。電子銃７を構成する複数の電極のうちのいずれかには、この抵抗器を用いて陽極電位を抵抗分割することにより得た電位を供給することができる。この場合に、抵抗器の他端を金属部材２５ａ，２５ｂ，２５ｃの１つ又は全てに接続しても良い。これにより、抵抗器の他端の電位を管外にて適切に設定することができるので、電子銃の機能を更に高めることができる。
【００６４】
本実施の形態に係る電子銃７の支持構造によれば、以下のような効果が得られる。
【００６５】
図７（Ａ）及び図７（Ｂ）に示した従来の電子銃は、４本のステムピン３１を固定端として、４本の支柱ピン、第１〜第３グリッド１１，１２，１３に溶接されたブラケット、及び一対のビードガラス４１を順に介して支持されていたので、陰極線管や電子銃７に衝撃が加えられると、この衝撃が第１〜第３グリッド１１，１２，１３に溶接された各ブラケットに伝達される。この結果、第１〜第３グリッド１１，１２，１３の変形や、これらグリッド間のギャップの変化を生じていた。
【００６６】
これに対して、本実施の形態の電子銃７は、実施の形態１と同様に、３本のステムピン３１ａ，３１ｂ，３１ｃを固定端として、３つの金属部材２５ａ，２５ｂ，２５ｃ、及び一対のビードガラス４１を順に介して支持される。従って、陰極線管や電子銃７に衝撃が加えられても、この衝撃は電子銃７を構成する各電極に溶接されたブラケットに直接伝達されない。従って、電極の変形や電極間のギャップの変化が生じない。
【００６７】
また、図７（Ａ）及び図７（Ｂ）に示した従来の電子銃７では、必要な支持強度を得るために、第１グリッド１１に２本のステムピン３１ａ，３１ｂが接続されていた。
【００６８】
これに対して、本実施の形態では、第１グリッド１１には１本のステムピンが接続される。従って、各電極に電気的に接続された各ステムピンに個別の電位を供給することができるので、本発明の電子銃支持構造を種々の電子銃に適用でき、これにより電子銃の機能を高めることができる。
【００６９】
図８（Ａ）及び図８（Ｂ）に示した従来の電子銃では、一対のビードガラス４１が、管軸Ｚ方向において第１グリッド１１よりも円形ガラス２００側にまで伸ばされていたので、ヒータからの浮遊熱電子がヒータの近傍に位置するビードガラス４１に衝突し二次電子放出が生じ、ビードガラス４１の開孔４２及びくびれ部４３の近傍部分の電位が不安定になるという問題があった。
【００７０】
また、図８（Ａ）及び図８（Ｂ）に示した従来の電子銃では、ヒータの近傍に位置するビードガラス４１の開孔４２の近傍部分の電位が二次電子放出により上昇し、この電位に引き寄せられたヒータからの浮遊熱電子がビードガラス４１に設けられた開孔４１を通過してネック部５に達し、ネック部５の電位も不安定になるという問題もあった。
【００７１】
これに対して、本実施の形態では、管軸Ｚ方向において、一対のビードガラス４１の円形ガラス２００側端の位置は、第１グリッド１１のバスタブ形状の筒部の位置と重複する位置に配置され、また、金属部材２５ａ，２５ｂ，２５ｃの埋め込み部６１ｄ及び渡り部６３ａを含む大部分も第１グリッド１１のバスタブ形状の筒部が管軸Ｚ方向に占める範囲内に配置される。即ち、本実施の形態では、一対のビードガラス４１及び金属部材２５ａ，２５ｂ，２５ｃはヒータから相対的に遠い位置に配置されるので、ビードガラス４１及び金属部材２５ａ，２５ｂ，２５ｃの電位が相対的に高くても、これらに引き寄せられる浮遊熱電子は少ない。更に、仮に、浮遊熱電子がビードガラス４１又は金属部材２５ａ，２５ｂ，２５ｃに引き寄せられることがあっても、そのような浮遊熱電子はビードガラス４１又は金属部材２５ａ，２５ｂ，２５ｃに到達する前に第１グリッド１１のバスタブ形状の筒部にトラップされてしまう。従って、ヒータからの浮遊熱電子がビードガラス４１に衝突することにより、二次電子放出を生じてビードガラス４１の電位が不安定になるという問題は生じない。また、浮遊熱電子がネック部５に到達してその電位を不安定にさせることもない。この結果、電子銃７の近傍での散乱電子を低減することができ、耐電圧特性に優れた陰極線管を実現できる。
【００７２】
また、図８（Ａ）及び図８（Ｂ）に示した従来の電子銃では、ビードガラス４１は、開孔４２及びくびれ部４３が形成された複雑な形状を有していたので、高価であり、また、電子銃の製造工程でビードガラス４１を融解させることにより開孔４２及びくびれ部４３の位置や形状が変化してしまうという問題があった。
【００７３】
これに対して、本実施の形態では、一対のビードガラス４１は開孔やくびれ部が形成されていない単純な細幅の板状であるので、安価に製作でき、また、電子銃の製造工程でのビードガラス４１の融解による形状や寸法の変化に対して上記の従来の電子銃ほどに配慮する必要がない。
【産業上の利用可能性】
【００７４】
本発明の利用分野は特に制限はなく、例えばテレビジョン受像機やコンピュータディスプレイ用のカラー受像管として広範囲に利用することができる。
【図面の簡単な説明】
【００７５】
【図１】図１（Ａ）は、本発明の実施の形態１に係る陰極線管におけるステム部近傍の概略構成を示した断面図、図１（Ｂ）は、この陰極線管における電子銃をステム部側から見た背面図である。
【図２】図２は、本発明の実施の形態１に係る陰極線管において、電子銃を支持する第１金属部材の正面図である。
【図３】図３は、本発明の実施の形態１に係る陰極線管において、電子銃を支持する第２金属部材の正面図である。
【図４】図４（Ａ）は、本発明の実施の形態２に係る陰極線管におけるステム部近傍の概略構成を示した断面図、図４（Ｂ）は、この陰極線管における電子銃をステム部側から見た背面図である。
【図５】図５は、本発明の実施の形態２に係る陰極線管において、電子銃を支持する金属部材の斜視図である。
【図６】図６は、陰極線管の一般的構成の一例を示した断面図である。
【図７】図７（Ａ）は、従来の陰極線管におけるステム部近傍の概略構成を示した断面図、図７（Ｂ）は、この陰極線管における電子銃をステム部側から見た背面図である。
【図８】図８（Ａ）は、従来の別の陰極線管におけるステム部近傍の概略構成を示した断面図、図８（Ｂ）は、この陰極線管における電子銃をステム部側から見た背面図である。
【符号の説明】
【００７６】
１  パネル
２  ファンネル
３  蛍光体スクリーン
４  シャドウマスク
５  ネック部
６Ｂ，６Ｇ，６Ｒ  電子ビーム
７  電子銃
８  偏向ヨーク
１０  ステム部
１１  第１グリッド
１２  第２グリッド
１３    第３グリッド
２１ａ，２１ｂ  Ｇ１ブラケット
２２ａ，２２ｂ，２２ｃ  支柱ピン
２３ａ，２３ｂ，２３ｃ  金属片
２４ａ，２４ｂ，２４ｃ  金属部材
２５ａ，２５ｂ，２５ｃ  金属部材
３１，３１ａ，３１ｂ，３１ｃ  ステムピン
４１  ビードガラス（絶縁支持体）
４２  開孔
４３  くびれ部
５１ａ，５１ｂ  開孔
５２ａ  くびれ部
６１ａ，６１ｂ，６１ｃ，６１ｄ  埋め込み部
６２ａ，６２ｂ，６２ｄ  接続部
６３ａ  渡り部
１００ａ，１００ｂ，１００ｃ  溶接箇所
２００  円形ガラス
【図１】
2007165254.tif 000003
【図２】
2007165254.tif 000004
【図３】
2007165254.tif 000005
【図４】
2007165254.tif 000006
【図５】
2007165254.tif 000007
【図６】
2007165254.tif 000008
【図７】
2007165254.tif 000009
【図８】
2007165254.tif 000010